(57)【要約】  中央アクセスポイント３４が、有線ローカルネットワークに接続される。１又はそれより多くのリモートアクセスポイント３６，３８は、関連付けられたケーブル６２，６４，６６，６８を介して、中央アクセスポイント３４と通信する。複数のモバイルワイヤレスユニット１２１，１２２，…１２ｎが、ワイヤレスローカルエリアネットワーク１０のアクセスポイントネットワーク１４内に位置され、各モバイルワイヤレスユニット１２１，１２２，…１２ｎは、中央アクセスポイント及びリモートアクセスポイント３６，３８の１つのうちの少なくとも１つと送受信するように構成される。
2009525640.tif 000002
【特許請求の範囲】
【請求項１】
ワイヤレスローカルエリアネットワークであって、
有線のローカルエリアネットワークに接続される中央アクセスポイントと、
関連付けられるケーブルを介して、各々が前記中央アクセスポイントと通信する１又はそれより多くのリモートアクセスポイントと、
前記ワイヤレスローカルエリアネットワークのアクセスポイントネットワーク内に配置された複数のモバイルワイヤレスユニットと、
を有し、該モバイルワイヤレスユニットの各々が、前記中央アクセスポイント及び前記リモートアクセスポイントの１つのうちの少なくとも一つと送受信するように構成される、ワイヤレスローカルエリアネットワーク。
【請求項２】
前記アクセスポイントの各々が、ダイバーシチ受信／送信のための関連付けられた第１及び第２の対のアンテナを含む、請求項１に記載のネットワーク。
【請求項３】
前記中央アクセスポイントが、
前記モバイルワイヤレスユニットから受信される信号の強度に基づいて、各モバイルワイヤレスユニットと送受信するのに最も良い信号のアンテナを選択する、プロセッサ
を含む、請求項２に記載のネットワーク。
【請求項４】
前記中央アクセスポイントプロセッサが、
各アンテナから受信された信号の強度を比較し、
該比較に基づいて、最も強い信号を受信するアンテナを選択し、
該選択されたアンテナを介して、前記モバイルワイヤレスユニットに信号を送信する
各ステップを実行するようにプログラムされる、請求項３に記載のネットワーク。
【請求項５】
各アクセスポイントが
前記リモートアクセスポイントの前記アンテナ間で切り替えるための、前記中央アクセスポイントにより制御されるアンテナ切り替え部
を含む、請求項２に記載のネットワーク。
【請求項６】
前記中央アクセスポイント及び前記リモートアクセスポイントの各々が、事前に選択されたセットの時間スロットに割り当てられ、ここで各１つのアクセスポイントが、前記アクセスポイントネットワークにおける他のアクセスポイントと干渉することなくデータを送受信する、請求項１に記載のネットワーク。
【請求項７】
送信された信号が前記リモートアクセスポイントに到達するとき、該送信された信号の強度レベルが、実質的に変化されないように、前記中央アクセスポイントから前記リモートアクセスポイントに送信される信号を増幅する送信側増幅器
を更に含む請求項１に記載のネットワーク。
【請求項８】
前記送信側増幅器が、前記リモートアクセスポイントに配置される、請求項７に記載のネットワーク。
【請求項９】
前記モバイルユニットから前記リモートアクセスポイントにより受信される信号を増幅する、受信側増幅器
を更に含む請求項７に記載のネットワーク。
【請求項１０】
各リモートアクセスポイントが、
送信及び受信信号の少なくとも１つを増幅する少なくとも１つの増幅器と、
前記中央アクセスポイントから信号が送信される送信モードと、受信信号が受信されるとともに、前記中央アクセスポイントに送信される受信モードとの間の切り替えのため、前記中央アクセスポイントにより制御される切り替えアセンブリと、
を有する請求項１に記載のネットワーク。
【請求項１１】
各リモートアクセスポイントが
前記中央アクセスポイントから、前記関連付けられるケーブルの１つの上で電力を受けるとともに、前記リモートアクセスポイントの前記増幅器と、他の部品とに電力を供給する電力回路
を更に有する、請求項１０に記載のネットワーク。
【請求項１２】
請求項１に記載の前記ネットワークの前記中央アクセスポイントに接続するリモートアクセスポイント。
【請求項１３】
ワイヤレスローカルエリアネットワークの中央アクセスポイントを、有線ローカルネットワークに接続するステップと、
リモートアクセスポイントを前記中央アクセスポイントにケーブルで接続するステップと、
前記中央アクセスポイント及び前記リモートアクセスポイントの１つのうちの少なくとも１つと送受信するため、モバイルワイヤレスユニットが前記ワイヤレスローカルエリアネットワークのアクセスポイントネットワーク内に位置されるように構成するステップと
を有する通信方法。
【請求項１４】
各アクセスポイントが、ダイバーシチ受信／送信用の少なくとも第１及び第２の対のアンテナを含み、
前記中央及びリモートアクセスポイントの前記アンテナの中から選択するステップ
を更に含む、請求項１３に記載の方法。
【請求項１５】
前記選択されたアンテナで信号を受信するステップと、
前記有線ネットワーク上の前記受信された信号からのデータを、前記中央アクセスポイントで送信するステップと、
前記選択されたアンテナを介して、前記中央アクセスポイントから前記モバイルユニットに信号を送信するステップと、
を更に有する、請求項１４に記載の方法。
【請求項１６】
前記リモートアクセスポイントのアンテナに加えられる送信信号強度レベルが、前記中央アクセスポイントのアンテナに加えられる前記信号の信号強度レベルと実質的に同じになるように、前記中央アクセスポイントにより前記リモートアクセスポイントに送信された信号を、第１増幅器で増幅させるステップ
を更に有する、請求項１３に記載の方法。
【請求項１７】
前記モバイルユニットから前記リモートアクセスポイントにより受信される信号を、第２増幅器で増幅するステップと、
前記増幅された信号を、前記ケーブルにより前記中央アクセスポイントに伝えるステップと、
を有し、前記増幅するステップは、前記中央アクセスポイントにおいて受信された前記増幅信号が、前記リモートアクセスポイントアンテナにより受信される前記信号と実質的に同じ信号レベルであるようにする、請求項１６に記載の方法。
【請求項１８】
前記中央アクセスポイントから信号が送信される送信モードと、前記中央アクセスポイントに信号が送信される受信モードとの間を、スイッチング機構で切り替えるステップ
を更に含む、請求項１７に記載の方法。
【請求項１９】
前記リモートアクセスポイントにおける前記中央アクセスポイントから、前記関連付けられたケーブルの１つの上で、電力を受けるステップと、
少なくとも前記第１及び第２増幅器と、前記リモートアクセスポイントの前記スイッチング機構とに電力を配分するステップと、
を更に含む、請求項１８に記載の方法。
【請求項２０】
専用の周波数で動作し、中央ユニットに接続される中央アクセスポイント、及び
前記中央アクセスポイントに接続され、前記中央アクセスポイントにより動作させられる、１又はそれより多くのリモートアクセスポイント、
を各々が含む複数のアクセスポイントハブと、
通信システムのアクセスポイントネットワーク内に位置されるモバイルワイヤレスユニットと、
を有する通信システムであって、各モバイルワイヤレスユニットが、前記中央アクセスポイント及び前記リモートアクセスポイントの１つのうちの少なくとも１つと送受信するように構成される、通信システム。
【請求項２１】
送信信号が前記リモートアクセスポイントに到達するとき、前記送信信号の強度レベルが実質的に変化されないように、前記中央アクセスポイントから前記リモートアクセスポイントに送信される信号を増幅する送信側増幅器と、
受信信号が前記中央アクセスポイントに到達するとき、前記受信信号の強度レベルが実質的に変化されないように、前記モバイルユニットから前記リモートアクセスポイントにより受信される信号を増幅する受信側増幅器と、
を更に有し、前記送信及び受信側増幅器が、ケーブル内の信号損失を補償するように協働し、これにより信号は、中央アクセスポイントと対応するリモートアクセスポイントとの間を横断する、請求項２０に記載のシステム。
【請求項２２】
各アクセスポイントがダイバーシチ受信／送信をする第１及び第２アンテナを含み、
前記アクセスポイントが、
前記モバイルユニットから受信された信号の強度に基づいて、最も良い信号強度レベルのアンテナを選択するプロセッサ
を含む、請求項２０に記載のシステム。
【請求項２３】
中央アクセスポイントのプロセッサの制御下で動作されるリモートアクセスポイントであって、
少なくとも第１及び第２アンテナと、
前記アンテナの１つにより受信される信号を増幅する第１増幅器と、
前記アンテナの１つにより送信される信号を増幅する第２増幅器と、
前記アンテナの中から選択するため、前記中央アクセスポイントプロセッサにより制御されるアンテナ選択切り替えアセンブリと、
送信モードと受信モードとの間で選択するため、前記中央アクセスポイントプロセッサにより制御される送信／受信切り替えアセンブリと、
前記中央アクセスポイントから前記第１及び第２増幅器、前記アンテナ選択切り替えアセンブリ、並びに前記送信／受信切り替えアセンブリに電力を分配する電力回路と、
を有するリモートアクセスポイント。
【発明の詳細な説明】
【技術分野】
【０００１】
本発明は、通信技術に関する。本発明は、ワイヤレスローカルエリアネットワークシステム（ＷＬＡＮ）に特定の用途を見出し、該システムを特に参照して記載されるであろう。しかしながら、本発明は、他の通信システムにおける用途も見出し得る。
【背景技術】
【０００２】
ＷＬＡＮは、有線ローカルエリアネットワーク（ＬＡＮ）の拡張又は代替として実施され得る柔軟なデータ通信システムである。通常ＷＬＡＮは、いかなる物理的接続にも頼ることなく、空中でデータを送受信するため、無線周波数（ＲＦ）技術を使用する。送信されるデータは、受信端において正確に取り出され得るように、無線搬送波に重畳される。無線波が異なる無線周波数で送信される場合、複数の無線搬送波が、同じ空間内に同時に互いに干渉することなく存在する。データを取り出すため、無線受信器は、全ての他の周波数を排除しながら１つの周波数に同調する。
【０００３】
通常のＷＬＡＮシステムにおいて、受信機／送信機装置又はアクセスポイントを含むアクセスポイント局は、標準的な配線を使用して、固定された位置から有線ネットワークに接続する。通常、アクセスポイントは、ＷＬＡＮと有線ネットワークインフラストラクチャとの間で、データを受信、バッファリング及び送信する。通常、１つのアクセスポイントが、小さなグループのユーザをサポートし、約１０乃至１５メートルの範囲内において機能することができる。
【０００４】
ワイヤレスモバイル患者モニタリング装置は、通常、無線周波数信号を有線での伝送に適切なフォーマットに変換するアクセスポイントと無線周波数信号により通信する。各アクセスポイントは、有線ローカルエリアネットワークと配線により接続され、それからデータ処理局に接続される。携帯電話と同様に、各モバイルモニタリング装置が、双方向通信を確立するアクセスポイントの一つに登録する。アクセスポイントは、通常、モバイルモニタリング装置を登録し、これに応じて、最新のモニタリングされた患者データを受信する。
【０００５】
このようなシステムはよく機能する一方、いくつかの欠点がある。通常、病院、養護施設等のような大きな施設において、多くのアクセスポイントを設置することが必要である。アクセスポイントは、通常６乃至１０メートル毎に位置される。病院又は養護施設全体を配線するには、非常に多くのアクセスポイントと、各アクセスポイントを中央ユニットと接続する、対応する数の電気配線とを必要とする。アクセスポイントモジュールは、比較的高価であり、費用は、各アクセスポイントから中央ユニットに配線を這わせるコストにより増加される。
【発明の開示】
【発明が解決しようとする課題】
【０００６】
以下では、上述の問題及び他の問題を解決する新規且つ改善された方法及び装置を検討する。
【課題を解決するための手段】
【０００７】
一態様によると、ワイヤレスローカルエリアネットワークが開示される。中央アクセスポイントは、有線のローカルエリアネットワークに接続される。１又はそれより多くのリモートアクセスポイントは、関連付けられたケーブルを介して、中央アクセスポイントと通信する。複数のモバイルワイヤレスユニットが、ワイヤレスローカルエリアネットワークのアクセスポイントネットワーク内に配置され、各モバイルワイヤレスユニットは、中央アクセスポイント及びリモートアクセスの１つのうちの少なくとも１つと送受信するように構成される。
【０００８】
他の態様によると、通信方法が開示される。ワイヤレスローカルエリアネットワークの中央アクセスポイントは、有線のローカルネットワークに接続される。リモートアクセスポイントは、ケーブルで中央アクセスポイントに接続される。モバイルワイヤレスユニットは、ワイヤレスローカルエリアネットワークのアクセスポイントネットワーク内に位置され、中央アクセスポイント及びリモートアクセスポイントの１つのうちの少なくとも１つと送受信するように構成される。
【０００９】
他の態様によると、複数のアクセスポイントハブを含む通信システムが開示される。各アクセスポイントハブは、選択された周波数又はセットの周波数において動作する中央アクセスポイントを含み、中央ユニットと、該中央アクセスポイントに接続されるとともに、該中央アクセスポイントにより動作させられる１又はそれより多くのリモートアクセスポイントとに接続される。モバイルワイヤレスユニットは、通信システムのアクセスポイントネットワーク内に位置され、各モバイルワイヤレスユニットは、中央アクセスポイント及びリモートアクセスポイントの１つのうちの少なくとも１つと送受信する。
【００１０】
他の態様によると、中央アクセスポイントのプロセッサの制御の下で動作させられるリモートアクセスポイントが開示される。リモートアクセスポイントは、少なくとも第１及び第２アンテナと、これらのアンテナの１つにより受信された信号を増幅する第１増幅器と、これらのアンテナの１つにより送信されるべき信号を増幅する第２増幅器と、これらのアンテナの中から選択するように中央アクセスポイントプロセッサにより制御されるアンテナ選択切り替えアセンブリと、送信モードと受信モードとの間で選択するように、中央アクセスポイントプロセッサにより制御される送信／受信切り替えアセンブリと、中央アクセスポイントから、第１及び第２増幅器、アンテナ選択切り替えアセンブリ、並びに送信／受信切り替えアセンブリに電力を配分する電力回路とを有する。
【００１１】
本願の更なる長所及び利点は、以下の好ましい実施例の詳細な説明を読み、理解する当業者には明らかになるであろう。
【００１２】
以下は、様々な部品及び部品の構成、並びに様々なステップ及びステップの構成の形態をとり得る。図は、好ましい実施例の説明のみを目的とし、用途を制限するものとして解釈されるべきではない。
【発明を実施するための最良の形態】
【００１３】
図１を参照すると、ワイヤレスローカルエリアネットワーク（ＷＬＡＮ）システム１０は、１又はそれより多くのモバイル装置又はユニット１２１，１２２，…１２ｎを含む。例えばモバイル装置１２１，１２２，…１２ｎは、脈拍、血中酸素、血圧、ＥＣＧ信号若しくは患者の他の遠隔測定データをモニタリングする、遠隔測定若しくはモニタリング装置か、パームコンピュータ、ノートブックコンピュータ、ハンドヘルド装置、ＰＤＡ、ポケベル、デスクトップコンピュータのような装置か、又はワイヤレス通信用に構成され得るいかなる他の装置である。ネットワーク１０は、アクセスポイントネットワーク、若しくはハブ、又はアクセスポイントネットワーク領域１４を含み（説明の簡素化のため、１つのアクセスポイントネットワークのみが示される）、規定された空間１６内において動作するモバイル装置１２１，１２２，…１２ｎにワイヤレスサービスを提供するため、規定された領域又は空間１６を通じて分布される。各アクセスポイントネットワーク１４は、アンテナ、プロセッサ、他の関連付けられた回路、及び関連付けられたリモート局を含む中央又はコア局１８、例えば各々がアンテナ、増幅器、及び他の関連付けられた回路を含む、図示された第１及び第２リモート又は補助局２０，２２を含む。図１の例において、中央局１８及びリモート局２０，２２は、以下に記載されるように各々がダイバーシチ接続用の２つのアンテナを有する。各局１８，２０，２２は、有限の動作範囲又はアクセスポイントセル２４１，２４２，２４３を有し、通常１０乃至１５メートルである。モバイル装置１２１，１２２，…１２ｎは、局１８，２０，２２と通信する。
【００１４】
中央局１８は、有線ネットワークインフラストラクチャ又はローカルエリアネットワークに配線又はそうでなければ接続され、例えば有線接続２８を介してワイヤリングクローゼット３０に接続される一方、関連付けられたリモート局２０，２２は、中央局１８に配線又は動作的に接続される。ローカルエリアネットワーク３０に接続され、関連付けられたソフトウェア手段３４及びハードウェア手段、又はプロセッサ３６を含む中央コンピュータ３２は、ＷＬＡＮシステム１０の動作を監視し、好ましくはローカルエリアネットワーク３０内で利用可能である様々なシステム及び／又はアプリケーションにインタフェースを提供する。アクセスポイントネットワーク１４は、例えば遠隔測定装置によりモニタリングされたデータを中央コンピュータ３２に送信する。各局１８，２０，２２は、モバイル装置１２１，１２２，…，１２ｎと双方向通信するため、対応する受信／送信手段、又は受信機／送信機、又はアクセスポイント３４，３６，３８を含む。例えば局１８，２０，２２は、モバイル装置１２１，１２２，…，１２ｎと有線ネットワークとの間で、データを少なくとも受信、バッファリング、及び送信する。各モバイル医療モニタ又は他のモバイル装置１２１，１２２，…，１２ｎは、関連付けられたハードウェア手段４０及びソフトウェア手段４２を含む。該ハードウェア及びソフトウェア手段４０，４２は、モバイル装置１２１，１２２，…，１２ｎとアクセスポイント３４，３６，３８との間にインタフェースを設けるように実施されるか、又はモバイル装置１２１，１２２，…，１２ｎに組み込まれる。
【００１５】
各アクセスポイントネットワーク１４の中央局１８は、選択された無線周波数又はセットの無線周波数で動作し、自身並びに第１及び第２リモート局２０，２２を制御するため、関連付けられたハードウェア又はプロセッサ４４を含む。各アクセスポイントネットワーク１４は、固定された数の処理時間スロット、例えば３２スロットと、周波数チャネル、例えば６周波数とを有する。時間スロットは、中央局１８及びリモート局２０，２２の中で割り当てられる。例えば１２スロットが、中央局１８に割り当てられ、１０スロットが第１リモート局２０に割り当てられ、１０スロットが第２局２２に割り当てられる。システムは、選択された時間に中央局アンテナを提供し、それから選択された時間にリモート局アンテナの各々を提供する。いかなる所与の時間スロットの送信の間も、信号は、各々のアクセスポイントネットワーク１４の１つのアンテナによってのみ送信される。
【００１６】
続けて図１を参照し、更に図２を参照すると、中央局１８は、第１及び第２アンテナ５０，５２を含み、第１リモート局２０は、第１及び第２アンテナ５４，５６を含み、第２リモート局２２は第１及び第２アンテナ５８，６０を含む。中央アクセスポイント３４は、双方向通信リンク又はケーブル６２を介して第１リモートアクセスポイント３６と通信し、双方向通信リンク又はケーブル６４を介して第２リモートアクセスポイント３８と通信する。双方向通信リンク６２，６４は、例えばＲＦ同軸通信ケーブルを介して実行される。中央アクセスポイント３４は、対応する第１又は第２リンク又はケーブル６６，６８を介して、第１及び第２リモートアクセスポイント３６，３８に制御信号及び電力を供給する。制御信号及び電力は、例えば以下に記載されるように４対の撚り線を含むケーブルを介して供給される。
【００１７】
図３を参照すると、第１リモートアクセスポイント３６は、第１又は受信方向増幅器７０と、第２又は送信方向増幅器７２とを含む。受信方向増幅器７０と送信方向増幅器７２とは、それぞれ第１又は第２増幅器ゲイン制御器、例えば減衰器７４，７６及びコネクタ７８、例えばＢＮＣコネクタを介して動作的に中央アクセスポイント３４に結合される。受信方向増幅器７０は、受信された信号が中央アクセスポイント３４に届くときに、制御アクセスポイントアンテナの１つからの信号とほぼ同じ信号強度レベルを有するように、該受信された信号を強める。同様に送信側増幅器７２は、リモートアクセスポイントアンテナの選択された１つにより送信される信号が、中央アクセスポイントアンテナの１つにおいて送信された信号とほぼ同じ信号強度を有するように、信号レベルを強める。他の実施例において、送信側増幅器７２は、中央局１８において実現される。このように、増幅器７０，７２は、ケーブル６２における信号受信／送信の間に生じる信号損失を補う。
【００１８】
減衰器７４，７６は、増幅器７０，７２のゲインを制御するように調整され得る。これは、中央局１８から来たものと同じレベルで、中央局１８から第１リモート局アンテナ５４，５６に送信される信号の信号レベルを調整することを可能にする。受信側において、信号は、中央局１８のアンテナ５０，５２の受信を改善するように強められる。受信、送信方向増幅器７０，７２は、各々がフィルタ８０を介して第１及び第２ダイバーシチアンテナ５４，５６の１つ、並びにそれぞれＢＮＣコネクタのような第１又は第２送信コネクタの１つに接続される。第１及び第２送信／受信方向スイッチ８８，９０は、送信及び受信の方向の１つを選択するため、第１リモートアクセスポイント３６の第１受信チャネル９２に動作的に結合される。より詳細には、中央アクセスポイント３４に動作的に結合される第１チャネル受信機９２は、可能化又は第１制御線９４を介して、受信方向増幅器７０又は送信方向増幅器７２の１つへの接続を選択する。第３又はダイバーシチスイッチ１００は、第１リモート局２０のアンテナ５４，５６に動作的に結合され、ダイバーシチ受信及び送信を供給するように、第１リモート局アンテナ５４，５６の１つへの接続を選択する。より詳細には、第１リモートアクセスポイント３６の第２受信機チャネル１０２は、第２又はダイバーシチ制御線１０４を介して、第１リモート局アンテナ５４，５６の１つを選択するため、中央アクセスポイント３４に動作的に結合される。
【００１９】
中央局１８のプロセッサ４４は、送信を実行した同じアンテナにおいて探される受信信号に基づいて、ダイバーシチ決定を行う。通常、ワイヤレス通信リンク上を送信されるデータパケットは、ヘッダを含む。プロセッサ４４は、まず１つ、それから他のアンテナを選択する間、パケットのヘッダの間の信号強度を検査する。比較に基づいて、プロセッサ４４は、例えば信号強度の結果と相関される、よりよい品質のデータをアンテナが受信しているかどうかを決定することができる。例えば室内伝搬は、マルチパスフェージングにより弱い信号に非常に寄与し、例えば送信機から受信機に信号がまっすぐ進むのではなく、信号は、建物内の様々な構造から反射する。このような反射経路は、しばしば互いにキャンセルする。受信信号が異なるアンテナに移動させられる場合、信号の強度は、かなり改善され得る。同じ局の２つのアンテナからの信号が満足な受信に不十分である場合、システムは、以下に記載されるように他の局に切り替える。このようなアンテナ切り替えは、例えばパケットのペイロードデータ部分を受信する前に実行される。
【００２０】
一実施例において、各モバイル装置１２１，１２２，…，１２ｎは、モバイル装置が登録されるアクセスポイント３４，３６，３８を識別するヘッダを含む。モバイル装置は、最も強い信号を感知し、アクセスポイントを伝える最も強い信号を登録する。登録は、中央アクセスポイント３４により実行される。各アクセスポイント３４，３６，３８は、モバイル装置１２１，１２２，…，１２ｎが認識できる識別子を有する。例えば各アクセスポイント３４，３６，３８は、フレーム毎に信号を送信する。モバイル装置１２１，１２２，…，１２ｎは、信号を受信し、信号強度に基づいて、最も強い信号のアクセスポイント３４，３６，３８に再登録する。したがって、例えばモバイル装置１２１は、中央局１８にまず登録した。モバイル装置１２１と関連付けられたユーザ１０８がＰ１からＰ２にユーザ位置を変更すると、中央アクセスポイント３４の信号強度レベルは弱くなる一方、第２リモートアクセスポイント３６の信号強度レベルは強くなる。モバイル装置１２１は、より強い信号を受信し、第２リモートアクセスポイント３６に再登録する。
【００２１】
このように、モバイル装置１２１，１２２，…，１２ｎとの通信に最良のアンテナが、受信チャネルにより受信される信号の品質に基づいて、中央局１８により自動的に選択される。送信信号は、選択されたアンテナにおいて送信する。
【００２２】
一実施例において、中央局１８とリモート局２０との間の制御信号通信及び電力供給は、４つのツイストペアを含むケーブルを介して実行される。第１ツイストペア１１０は、上述の受信／送信方向の選択を制御するため、ＲＳ４８５のような通信リンクを介して、中央アクセスポイント３４及び第１受信機チャネル９２を結合するピン１及び２に接続される。第２ツイストペア１１２は、上述のように、受信及び送信のダイバーシチのために第１リモート局アンテナ５４，５６を制御するため、ＲＳ４８５のような通信リンクを介して中央局アクセスポイント３４及び第２受信機チャネル１０２を結合するピン３及び４に接続される。第３及び第４ツイストペア１１４，１１６は、中央局１８からリモート局２０に電力を供給し、電源１２０のピン４，５，６，８に結合される。電源１２０は、ケーブル減衰に依存して約５Ｖの受信信号を、制御された３Ｖに変換するためのＤＣ−ＤＣコンバータをオプションとして含む。
【００２３】
病院内のアクセスポイントは、通常廊下に沿って利用されるので、ネットワークは、１次元の態様でしばしば拡張する。第１リモートアクセス局２０を中央局１８からある方向に約６乃至１０メートル廊下を進んで配置し、第２リモートアクセス局２２を他の方向に約６乃至１０メートル廊下を進んで配置することは、配線の必要性を３分の２に切り詰め、従来のアクセスポイントの３分の２をより低いコストのリモートアクセスポイントで置き換える。
【００２４】
本願は、好ましい実施例を参照して記載されている。修正及び変更は、詳細な説明を読み、理解する他人に思いつくであろう。応用は、請求項又はこれと等価のものの範囲内にある限り、このような修正及び変更をすべて含むとして解釈されるべきであると意図される。
【図面の簡単な説明】
【００２５】
【図１】図１は、ＷＬＡＮ通信システムの一部を概略的に示す。
【図２】図２は、ＷＬＡＮの中央アクセスポイントと２つのリモートアクセスポイントとを概略的に示す。
【図３】図３は、ＷＬＡＮ通信システムのリモートアクセスポイントの詳細を概略的に示す。
【図１】
2009525640.tif 000003
【図２】
2009525640.tif 000004
【図３】
2009525640.tif 000005
【国際調査報告】
2009525640.tif 000006
2009525640.tif 000007
2009525640.tif 000008